(57)【要約】【課題】自動焦点調整を行う測距点が増加しても、ユーザが意図した測距点および次の選択操作で選択できる測距点が判別しやすい撮像装置を提供すること。【解決手段】ファインダと測距手段と、測距を行う位置の移動を撮影者が指示するための少なくとも一つの移動指示部と、前記少なくとも一つの移動指示部が操作された場合に測距を行う位置の移動量を、少なくとも二つ以上のレベルの中から一つに決定する移動量決定部と、測距を行う位置を示す測距位置表示と、決定された移動量を示す移動量表示と、前記少なくとも二つ以上のレベルの中で最大のレベルの移動量を示す最大移動量表示と、それ以外の位置を示す非選択位置表示とを、前記ファインダに表示する表示部と、前記測距位置表示と、前記移動量表示と、前記最大移動量表示と、前記非選択位置表示の表示方法がそれぞれ異なることを特徴とする撮像装置【選択図】  図５
2019012180.tif 000002
【特許請求の範囲】
【請求項１】
撮影者が被写体を確認するためのファインダと
被写体までの距離を測距する測距手段と、
前記測距手段で測距を行う位置を選択する測距点選択モードと、
測距を行う位置の移動を撮影者が指示するための少なくとも一つの移動指示部と、
前記少なくとも一つの移動指示部が操作された場合に測距を行う位置の移動量を、少なくとも二つ以上のレベルの中から一つに決定する移動量決定部と、
測距を行う位置を示す測距位置表示と、前記移動量決定部によって決定された移動量を示す移動量表示と、前記少なくとも二つ以上のレベルの中で最大のレベルの移動量を示す最大移動量表示と、それ以外の位置を示す非選択位置表示とを、前記ファインダに表示する表示部と、
前記移動量表示と、前記最大移動量表示を表示する位置を算出する表示位置決定手段を有し、
前記測距位置表示と、前記移動量表示と、前記最大移動量表示と、前記非選択位置表示の表示方法がそれぞれ異なることを特徴とする撮像装置。
【請求項２】
前記表示位置決定手段は、前記測距位置表示の表示位置に応じて、前記移動量表示と前記最大移動量表示の表示位置を決定することを特徴とする請求項１に記載の撮像装置。
【請求項３】
前記測距位置表示と、前記移動量表示と、前記最大移動量表示と、前記非選択位置表示のうち、少なくとも一つの表示方法は、その他の表示方法とは異なる色であることを特徴とする請求項１または２に記載の撮像装置。
【請求項４】
前記測距位置表示と、前記移動量表示と、前記最大移動量表示と、前記非選択位置表示のうち、少なくとも一つの表示方法は、その他の表示方法とは点灯している時間が異なることを特徴とする請求項１乃至３のいずれか１項に記載の撮像装置。
【請求項５】
前記測距位置表示と、前記移動量表示と、前記最大移動量表示と、前記非選択位置表示のうち、少なくとも一つの表示方法は、その他の表示方法とは形状が異なることを特徴とする請求項１乃至４のいずれか１項に記載の撮像装置。
【請求項６】
前記測距位置表示と、前記移動量表示と、前記最大移動量表示と、前記非選択位置表示のうち、少なくとも一つの表示方法は、その他の表示方法とは大きさが異なることを特徴とする請求項１乃至５のいずれか１項に記載の撮像装置。
【請求項７】
前記測距位置表示と、前記移動量表示と、前記最大移動量表示（と、前記非選択位置表示のうち、少なくとも一つの表示方法は、その他の表示方法とは輝度が異なることを特徴とする請求項１乃至６のいずれか１項に記載の撮像装置。
【請求項８】
撮影者が各種操作を行う複数の操作部と、
撮影者が前記ファインダを覗いているかどうかを判別するファインダ判定部を更に有し、
前記ファインダ判定部により、撮影者が前記ファインダを覗いていると判定された場合に、前記の複数の操作部のうち少なくとも一つ以上を、測距を行う位置の移動量を変更する移動量可変操作部として制御することを特徴とする請求項１乃至７のいずれか１項に記載の撮像装置。
【発明の詳細な説明】
【技術分野】
【０００１】
本発明は、撮像装置に関し、特に測距点を表示する撮像装置に関する。
【背景技術】
【０００２】
複数の項目から任意の一つを選択する際、現在選択されている項目と、次の操作で選択が可能になる項目の候補を共に表示することでユーザの操作性を向上させる技術が公知である。例えば、特許文献１では、次の所定の選択操作で選択可能な項目を、次の選択操作で選択されない項目とは異なる形態で識別表示する技術が開示されている。
【０００３】
また、近年の一眼レフカメラにおいては、複数の測距点それぞれにおける被写体の情報を所定のアルゴリズムに従って評価し、焦点状態を検出することが一般に行われている。このような一眼レフカメラには、複数の測距点の中から撮影者が選択した任意の一つの測距点を光学ファインダ上に表示できるものがある。例えば、特許文献２に記載の一眼レフカメラにおいては、複数の測距点の中から間引きした測距点で焦点状態を検出する技術が開示されている。
【先行技術文献】
【特許文献】
【０００４】
【特許文献１】特開２０１６−１２６６２１号公報
【特許文献２】特開平１０−１７０８１３号公報
【発明の概要】
【発明が解決しようとする課題】
【０００５】
しかしながら、特許文献２に記載の技術ではファインダ内での表示方法が明示されておらず、ユーザが使用したい測距点を選べているのか、また、次の選択操作で選択できる測距点が何処であるのかが不明瞭であった。
【０００６】
また、特許文献２に記載の一眼レフカメラに特許文献１の記載の技術を搭載した場合は、間引きされた測距点の中でのみ表示を行うため、ユーザが使用したい測距点が間引きされてしまうと選択ができないといった問題点を有していた。
【０００７】
そこで、本発明の目的は、自動焦点調整を行う測距点が増加しても、ユーザが意図した測距点および次の選択操作で選択できる測距点が判別しやすい撮像装置を提供することである。
【課題を解決するための手段】
【０００８】
上記目的を達成するために、本発明の撮像装置は、
撮影者が被写体を確認するためのファインダと
被写体までの距離を測距する測距手段と、
前記測距手段で測距を行う位置を選択する測距点選択モードと、
測距を行う位置の移動を撮影者が指示するための少なくとも一つの移動指示部と、
前記少なくとも一つの移動指示部が操作された場合に測距を行う位置の移動量を、少なくとも二つ以上のレベルの中から一つに決定する移動量決定部と、
測距を行う位置を示す測距位置表示と、前記移動量決定部によって決定された移動量を示す移動量表示と、前記少なくとも二つ以上のレベルの中で最大のレベルの移動量を示す最大移動量表示と、それ以外の位置を示す非選択位置表示とを、前記ファインダに表示する表示部と、
前記移動量表示と、前記最大移動量表示を表示する位置を算出する表示位置決定手段を有し、
前記測距位置表示と、前記移動量表示と、前記最大移動量表示と、前記非選択位置表示の表示方法がそれぞれ異なることを特徴とする。
【発明の効果】
【０００９】
本発明によれば、自動焦点調整を行う測距点が増加しても、ユーザが意図した測距点および次の選択操作で選択できる測距点が判別しやすい撮像装置を提供することができる。
【図面の簡単な説明】
【００１０】
【図１】本発明の実施形態の一例であるデジタル一眼レフカメラにおいて、測距点を選択する際のファインダ表示例を示す図である。
【図２】本発明の実施形態の一例であるデジタル一眼レフカメラを上面側および撮影者側から見た図である。
【図３】本発明の実施形態の一例であるデジタル一眼レフカメラの主要な電気的構成を示すブロック図である。
【図４】本発明の実施形態の一例であるデジタル一眼レフカメラのファインダ表示を示す図である。
【図５】本発明の実施形態の一例であるデジタル一眼レフカメラの信号処理の流れの概略を示したフローチャートである。
【図６】本発明の実施形態の一例であるデジタル一眼レフカメラの測距点移動量変更処理の流れの概略を示したフローチャートである。
【図７】本発明の第二の実施形態の一例であるデジタル一眼レフカメラにおいて、測距点を選択する際のファインダ表示例を示す図である。
【図８】本発明の第三の実施形態の一例であるデジタル一眼レフカメラの測距点移動量変更処理の流れの概略を示したフローチャートである。
【発明を実施するための形態】
【００１１】
以下に、本発明の好ましい実施の形態を、添付の図面に基づいて詳細に説明する。
【００１２】
［実施例１］
以下、本発明の第１の実施例について図面を参照しながら説明する。図２（Ａ）は本発明の実施形態の一例であるデジタル一眼レフカメラ１（以下、カメラ本体１）を上面側から見た図であり、図２（Ｂ）は本発明の実施形態の一例であるカメラ本体１を撮影者側から見た図である。
【００１３】
図２（Ａ）に示すように、カメラ本体１は上面部にストロボユニット２、モード選択ダイヤル５００、メインダイヤル５０３およびレリーズボタン５１０、上面液晶表示部５２０、上面液晶照明ボタン５２１、測距点選択ボタン５２２などが配されている。モード選択ダイヤル５００は、シャッタ速度優先モード・絞り優先モードなどの撮影モードを変更する際に操作する撮影モード設定ダイヤル５０２と、カメラ本体１の電源をＯＮ／ＯＦＦ操作する電源ＳＷ５０１を備えている。メインダイヤル５０３は回転させる方向によって二方向を指示できる操作部材である。レリーズボタン５１０の詳細は後述する。上面液晶表示部５２０は撮影条件を表示することができる。上面液晶照明ボタン５２１は上面液晶表示部５２０のＬＥＤ照明をＯＮ／ＯＦＦ操作するためのボタンである。測距点選択ボタン５２２は測距点の位置を切り替えるための測距点選択モードに変更するボタンである。
【００１４】
ここで、モード選択ダイヤル５００、メインダイヤル５０３およびレリーズボタン５１０、上面液晶照明ボタン５２１、測距点選択ボタン５２２は本発明の複数の操作部に相当し、特に上面液晶照明ボタン５２１は本発明の実施例１における移動量可変操作部に相当する。
【００１５】
また、図２（Ｂ）に示すように、カメラ本体１は撮影者側の側面（以下、背面と表記する）に、撮影した画像や撮影条件などを表示可能なカラーＬＣＤモニタ部５０４を備えている。カラーＬＣＤモニタ部５０４は、表面を指等でなぞることでカメラ本体１の操作が可能なタッチパネル機能を備えている。カラーＬＣＤモニタ部５０４の上方には、撮影者が被写体像を観察するためのファインダ３、覗き検知部４が配されている。ファインダ３は本発明のファインダに相当する。覗き検知部４は光センサによって撮影者がファインダ３を覗いているか否かを検知する。
【００１６】
覗き検知部４は本発明のファインダ判定部に相当する。背面には他に方向を指示するための方向ボタン５３０、指示を確定させる決定ボタン５３５、再生した画像の拡大表示を指示する拡大ボタン５３６、再生した画像の縮小表示を指示する縮小ボタン５３７が配置されている。方向ボタン５３０は、上を指示する上ボタン５３１、下を指示する下ボタン５３２、右を指示する右ボタン５３３、左を指示する左ボタン５３４の４つのボタンから構成される。ここで、方向ボタン５３０および拡大ボタン５３６、縮小ボタン５３７は本発明の複数の操作部に相当し、特に方向ボタン５３０は本発明の移動指示部に相当する。
【００１７】
図３は、本発明の実施形態の一例であるカメラ本体１の主要な電気的構成を示すブロック図である。
【００１８】
カメラ本体１に内蔵されたマイクロコンピュータからなる中央処理装置（以下、「ＭＰＵ」と称する）１００は、カメラの動作制御を司るものであり、各要素に対して様々な処理や指示を実行する。ＭＰＵ１００に内蔵されたＥＥＰＲＯＭ１００ａは、後述する時刻計測回路１０１の計時情報やその他の情報を記憶することができる。
【００１９】
ＭＰＵ１００には、ミラー駆動回路１０２、焦点検出回路１０３、シャッタ駆動回路１０４、映像信号処理回路１０５、スイッチセンス回路１０６、測光回路１０７、ストロボ駆動回路１０８が接続されている。ストロボ駆動回路１０８は、ストロボユニット２の動作を制御する。また、ＭＰＵ１００には、液晶表示駆動回路１０９、ＬＥＤ駆動回路１１０、バッテリーチェック回路１１１、時刻計測回路１０１、電力供給回路１１２、圧電素子駆動回路１１３が接続されている。これらの回路は、ＭＰＵ１００の制御により動作するものである。
【００２０】
ＭＰＵ１００は、撮影レンズユニット６００ａ内のレンズ制御回路６０１とマウント接点１１４を介して通信を行う。マウント接点１１４は、撮影レンズユニット６００ａが接続されるとＭＰＵ１００へ信号を送信する機能も有する。これにより、レンズ制御回路６０１は、ＭＰＵ１００との間で通信を行い、ＡＦ駆動回路６０２及び絞り駆動回路６０３を介して撮影レンズユニット６００ａ内の撮影レンズ６００及び絞り６０４の駆動を行う。    
【００２１】
なお、図３では便宜上１枚の撮影レンズ６００のみを図示しているが、実際は多数のレンズ群によって構成される。
【００２２】
ＡＦ駆動回路６０２は、例えばステッピングモータ等によって構成され、レンズ制御回路６０１の制御により撮影レンズ６００内のフォーカスレンズ位置を変化させ、撮像素子２０１に撮影光束の焦点を合わせるように調整する。絞り駆動回路６０３は、例えばオートアイリス等によって構成され、レンズ制御回路６０１の制御により絞り６０４を変化させ、光学的な絞り値を得る。
【００２３】
メインミラー１１５は、図３に示す撮影光軸１０に対して４５°の角度に保持された状態で、撮影レンズ６００を通過する撮影光束をペンタダハミラー３１へ導くと共に、その一部を透過させてサブミラー１１６へ導く。サブミラー１１６は、メインミラー１１５を透過した撮影光束を焦点検出センサユニット１１７へ導く。
【００２４】
ミラー駆動回路１０２は、例えばＤＣモータとギヤトレイン等によって構成され、メインミラー１１５を、ファインダ３により被写体像を観察可能とする位置と、撮影光束から待避する位置とに駆動する。メインミラー１１５が駆動すると、同時にサブミラー１１６も、焦点検出センサユニット１１７へ撮影光束を導く位置と、撮影光束から待避する位置とに移動する。
【００２５】
焦点検出センサユニット１１７は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット１１７から出力される信号は、焦点検出回路１０３へ供給され、被写体像信号に換算された後、ＭＰＵ１００に送信される。ＭＰＵ１００は、被写体像信号に基づいて位相差検出法による焦点検出演算を行う。そして、デフォーカス量及びデフォーカス方向を求め、これに基づいて、レンズ制御回路６０１及びＡＦ駆動回路６０２を介して撮影レンズ６００内のフォーカスレンズを合焦位置まで駆動する。ここで、焦点検出センサユニット１１７は本発明の測距手段に相当する。
【００２６】
ペンタダハミラー３１は、メインミラー１１５により反射された撮影光束を正立正像に変換反射する。撮影者はファインダ光学系を介してファインダ３から被写体像を観察することができる。ペンタダハミラー３１は、撮影光束の一部を測光センサ１１８へも導く。測光回路１０７は、測光センサ１１８の出力を得て、観察面上の各エリアの輝度信号に変換し、ＭＰＵ１００に出力する。ＭＰＵ１００は、輝度信号に基づいて露出値を算出する。
【００２７】
シャッタユニット（機械フォーカルプレーンシャッタ）１１９は、撮影者がファインダ３により被写体像を観察している時には、シャッタ先幕（不図示）が走行前位置（シャッタ開口部を遮光する位置）にあると共に、シャッタ後幕（不図示）が走行前位置（シャッタ開口部から退避した位置）にある。撮影時には、シャッタ先幕が走行前位置から走行完位置（シャッタ開口部から退避した位置）へと走行を開始し、所望のシャッタ秒時が経過した後、シャッタ後幕が走行前位置から走行完位置（シャッタ開口部を遮光する位置）へ移動する遮光走行を行う。
【００２８】
これにより、撮影光束がシャッタ開口部を通過して撮像素子２０１へ導かれ、撮影を完了する。シャッタユニット１１９は、ＭＰＵ１００の指令を受けたシャッタ駆動回路１０４により制御される。
【００２９】
撮像ユニット２００は、主に光学ローパスフィルタ２０２、圧電部材である圧電素子２０３、撮像素子２０１がユニット化されたものである。撮像素子２０１は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮整像デバイスを採用してもよい。撮像素子２０１の前方に配置された光学ローパスフィルタ２０２は、水晶からなる１枚の複屈折板であり、その形状は矩形状である。圧電素子２０３は、単板の圧電素子（ピエゾ素子）であり、ＭＰＵ１００の指示を受けた圧電素子駆動回路１１３により加振され、その振動を光学ローパスフィルタ２０２に伝えるように構成されている。
【００３０】
クランプ／ＣＤＳ（相関二重サンプリング）回路１２０は、Ａ／Ｄ変換する前の基本的なアナログ処理を行うものであり、クランプレベルを変更することも可能である。ＡＧＣ（自動利得調整装置）１２１は、Ａ／Ｄ変換する前の基本的なアナログ処理を行うものであり、ＡＧＣ基本レベルを変更することも可能である。Ａ／Ｄ変換器１２２は、撮像素子２０１のアナログ出力信号をデジタル信号に変換する。
【００３１】
映像信号処理回路１０５は、デジタル化された画像データに対してガンマ／ニー処理、フィルタ処理、モニタ表示用の情報合成処理等、ハードウエアによる画像処理全般を実行する。この映像信号処理回路１０５からのモニタ表示用の画像データは、カラーＬＣＤ駆動回路１２３を介してカラーＬＣＤモニタ部５０４に表示される。また、映像信号処理回路１０５は、ＭＰＵ１００の指示に従って、メモリコントローラ１２４を通じてバッファメモリ１２５に画像データを保存することもできる。
【００３２】
さらに、映像信号処理回路１０５は、ＪＰＥＧ等の画像データ圧縮処理を行うこともできる。連写撮影等、連続して撮影が行われる場合は、一旦バッファメモリ１２５に画像データを格納し、メモリコントローラ１２４を通して未処理の画像データを順次読み出すこともできる。これにより、映像信号処理回路１０５は、Ａ／Ｄ変換器１２２から入力されてくる画像データの速度に関わらず、画像処理や圧縮処理を順次行うことができる。
【００３３】
メモリコントローラ１２４は、外部インタフェース１２６から入力される画像データを外部メモリ１２７に記憶し、外部メモリ１２７に記憶されている画像データを外部インタフェース１２６から出力する機能を有する。外部メモリ１２７としては、カメラ本体１に着脱可能なフラッシュメモリ等が用いられる。
【００３４】
スイッチセンス回路１０６は、各スイッチの操作状態に応じて入力信号をＭＰＵ１００に送信する。スイッチＳＷ１（５１０ａ）は、レリーズボタン５１０の第１ストローク（半押し）によりＯＮする。スイッチＳＷ２（５１０ｂ）は、レリーズボタン５１０の第２ストローク（全押し）によりＯＮする。スイッチＳＷ２（５１０ｂ）がＯＮされると、撮影開始の指示がＭＰＵ１００に送信される。さらに、スイッチセンス回路１０６には、覗き検知部４、電源ＳＷ５０１、撮影モード設定ダイヤル５０２、メインダイヤル５０３、上面液晶照明ボタン５２１、測距点選択ボタン５２２、方向ボタン５３０、決定ボタン５３５、拡大ボタン５３６、縮小ボタン５３７も接続されている。
【００３５】
液晶表示駆動回路１０９は、ＭＰＵ１００の指示に従って、ファインダ内表示部３２、上面液晶表示部５２０を駆動する。ＬＥＤ駆動回路１１０は、ファインダ内表示部３２を赤色に照明するスーパーインポーズ用ＬＥＤ３３を駆動する。なお、本実施例ではスーパーインポーズ用ＬＥＤ３３を赤色発光としているが、発光色は赤色以外でもよい。
【００３６】
バッテリーチェック回路１１１は、ＭＰＵ１００の指示に従って、バッテリーチェックを行い、その検出結果をＭＰＵ１００に送信する。電力供給回路１１２は、ＭＰＵ１００の指示に従い、カメラの各要素に対して電源１２８の電源を供給する。
【００３７】
時刻計測回路１０１は、電源ＳＷ５０１がＯＦＦされて次にＯＮされるまでの時間や日付を計測し、ＭＰＵ１００からの指示に従って、計測結果をＭＰＵ１００に送信する。
図４は、ファインダ内表示部３２の表示内容を示す図である。
【００３８】
ファインダ内表示部３２は、ペンタダハミラー３１で反射された被写体像を観察できるファインダ視野領域３４に重畳して表示される視野枠内表示３５と、ファインダ視野領域３４の領域外に表示される撮影条件表示３６を備えている。
【００３９】
ここで、視野枠内表示３５は本発明の表示部に相当する。視野枠内表示３５は透過率が高く光学ファインダの被写界像が暗くならない高分子拡散液晶（ＰＮＬＣＤ）によって表示され、焦点検出を行う測距点の位置を示す測距選択枠３７が表示される。測距選択枠３７は、大きさおよび形状が異なる枠表示３７ａと点表示３７ｂの２種類で構成される。ＰＮＬＣＤ上、測距選択枠３７は黒色で表示される。
【００４０】
しかしながら、スーパーインポーズ用ＬＥＤ３３で赤色に照明することで、黒色に表示されている箇所全体を赤色に表示させることが可能である。ＰＮＬＣＤ上で任意の表示のみ赤色表示し他を黒色で表示させる場合は、まず、赤色に表示させたい部分とそれ以外の表示で分け、ＰＮＬＣＤ上で極めて短い時間ずつ交互に切り替えて表示させる。その際、赤色に表示させたい部分が点灯している間のみスーパーインポーズ用ＬＥＤ３３で赤色に照明することで、任意の表示のみ赤色に表示し、他を黒色で表示しているように見せることが可能である。
【００４１】
本実施例では、焦点検出センサユニット１１７で焦点検出を行う測距点を、縦方向に９個、横方向に１５個配置している。そのため、測距選択枠３７もファインダ視野領域３４内に縦方向に９行、横方向に１５列の１３５個が配されている。この時、横方向の中央列は最右列から左方向に数えて８列目に位置し、縦方向の中央行は最上行から下方向に数えて５行目となる。
【００４２】
１３５個の測距選択枠３７のうち、横方向の中央列よりも右側に位置し、かつ縦方向の中央行を含む上側に位置する範囲をエリア３５−１とし、横方向の中央列を含む左側に位置し、かつ縦方向の中央行を含む上側に位置する範囲をエリア３５−２とする。同様に、横方向の中央列を含む左側に位置し、かつ縦方向の中央よりも下側に位置する範囲をエリア３５−３とし、横方向の中央列よりも右側に位置し、かつ縦方向の中央よりも下側に位置する範囲をエリア３５−４とする。
【００４３】
撮影条件表示３６はシャッタ秒時表示部３６ａ、絞り表示部３６ｂ、シフト量表示部３６ｃ、指標部３６ｄ、ＩＳＯ感度表示部３６ｅ及び合焦表示部３６ｆにより構成される。シャッタ秒時表示部３６ａはシャッタ秒時を示し、絞り表示部３６ｂは絞り値を示す。シフト量表示部３６ｃは適正露出に対するシフト量を示し、指標部３６ｄはシフト量の指標である。ＩＳＯ感度表示部３６ｅはＩＳＯ感度を示す。合焦表示部３６ｆは点灯することで撮影者に被写体が合焦したことを知らせる。
【００４４】
測距点選択モードにおいて方向ボタン５３０のいずれかを一回押した場合の測距点移動量を三段階に変更できる。本実施例では、「縦方向の移動量は１個、横方向の移動量も１個（以下、レベル１とする）」、「縦方向の移動量は２個、横方向の移動量は４個（以下、レベル２とする）」、「縦方向の移動量は４個、横方向の移動量は７個（以下、レベル３とする）」の三段階である。
【００４５】
レベル１は隣の測距点へ上下または左右に移動できる設定であり、レベル２は各行または各列にある測距点総数の１／４程度分上下または左右に移動できる設定、レベル３は各行または各列にある測距点総数の１／２程度分上下または左右に移動できる設定となっている。この三段階を切り替えることで、測距点が増加しても操作が煩雑になることなく測距点移動を行うことができる。なお、測距点移動量の段階数は、測距点の数に合わせて適宜変更可能である。
【００４６】
測距点選択モードでの測距点移動量の切り替えは、撮影者がファインダ３を覗いている場合は上面液晶照明ボタン５２１を押下する毎に行われる。測距点移動量がレベル１の場合は、上面液晶照明ボタン５２１を押下すると測距点移動量はレベル２に切り替わる。同様に測距点移動量がレベル２であれば、上面液晶照明ボタン５２１を押下するとレベル３に、測距点移動量がレベル３であればレベル１に切り替わる。撮影者がファインダ３を覗いていない場合はカラーＬＣＤモニタ部５０４のタッチ操作で行う。カラーＬＣＤモニタ部５０４のタッチ操作で測距点移動量を切り替える場合は、撮影者がレベル１からレベル３の中からレベルを選択してもよい。
【００４７】
図１は、測距点選択モードにおける視野枠内表示３５の表示例を示した図である。図１（Ａ）〜（Ｄ）は、測距点の移動量がレベル２の場合の表示例であり、特に図１（Ａ）は、撮影者が選択中の測距点がエリア３５−１内に位置している場合の表示例である。同様に、図１（Ｂ）は、選択中の測距点がエリア３５−２内に位置している場合の表示例、図１（Ｃ）は、選択中の測距点がエリア３５−３内に位置している場合の表示例、図１（Ｄ）は、選択中の測距点がエリア３５−４内に位置している場合の表示例である。
【００４８】
図１（Ｅ）および（Ｆ）は、図１（Ａ）と同様に、撮影者が選択中の測距点がエリア３５−１内に位置している場合の表示例だが、図１（Ｅ）は測距点の移動量がレベル１の場合の表示例、図１（Ｆ）は測距点の移動量がレベル３の場合の表示例である。
【００４９】
図１（Ａ）〜（Ｆ）のように、測距点選択モードでは撮影者が選択している測距点の位置が選択位置３７ａ′で示される。この時ＰＮＬＣＤ上では、選択位置３７ａ′とそれ以外の表示で、極めて短い時間ずつ交互に切り替えて表示している。選択位置３７ａ′が点灯している間のみスーパーインポーズ用ＬＥＤ３３を赤色に照明しているため、撮影者には選択位置３７ａ′だけが赤色で点灯表示しているように見える。ここで、選択位置３７ａ′は本発明の測距位置表示に相当する。
【００５０】
図１（Ａ）〜（Ｆ）の移動量表示３７ａ′−１は、現在のレベルで移動できる移動量を示している。図１（Ａ）〜（Ｄ）の表示例はレベル２のため、縦方向に２個、横方向に４個、合計５個が略Ｌ字状に表示される。また、図１（Ｅ）の表示例はレベル１のため、移動量表示３７ａ′−１は１個だけが表示される。図１（Ｆ）の表示例はレベル３のため、縦方向に４個、横方向に７個の合計１０個が略Ｌ字状に表示される。最大移動量表示３７ａ′−２は、測距点移動量が最大レベルのときの測距点移動量を示している。本実施例の最大レベルはレベル３であるので、略矩形内に配置された縦方向に４個、横方向に７個、合計２８個のうち、移動量表示３７ａ′−１以外の位置が最大移動量表示３７ａ′−２となる。
【００５１】
図１（Ａ）〜（Ｄ）であればレベル２のため、２８個のうち移動量表示３７ａ′−１を除く２３個が最大移動量表示３７ａ′−２となる。同様に、図１（Ｅ）であれば移動量表示３７ａ′−１を除く２７個が最大移動量表示３７ａ′−２であり、図１（Ｆ）であれば移動量表示３７ａ′−１を除く１８個が最大移動量表示３７ａ′−２である。非選択位置３７ｂ′は、選択位置３７ａ′および移動量表示３７ａ′−１、最大移動量表示３７ａ′−２以外の測距点位置を示している。ここで、移動量表示３７ａ′−１は本発明の移動量表示に相当し、最大移動量表示３７ａ′−２は本発明の最大移動量表示に相当し、非選択位置３７ｂ′は本発明の非選択位置表示に相当する。
【００５２】
移動量表示３７ａ′−１および最大移動量表示３７ａ′−２、非選択位置３７ｂ′は、選択位置３７ａ′とは点灯しているタイミングが異なるため黒色に表示される。また、移動量表示３７ａ′−１は最大移動量表示３７ａ′−２および非選択位置３７ｂ′が点灯しているタイミングよりも消灯している時間を長くすることにより、撮影者には移動量表示３７ａ′−１が黒色で点滅表示しているように見える。
【００５３】
図１（Ａ）のように選択位置３７ａ′がエリア３５−１内に位置している場合は、移動量表示３７ａ′−１と最大移動量表示３７ａ′−２は左下に表示される。これにより移動量表示３７ａ′−１と最大移動量表示３７ａ′−２に対し選択位置３７ａ′が離れた位置で表示され、選択位置３７ａ′と、移動量表示３７ａ′−１および最大移動量表示３７ａ′−２の判別がしやすくなる。同様に、図１（Ｂ）のように選択位置３７ａ′がエリア３５−２内に位置している場合は、移動量表示３７ａ′−１と最大移動量表示３７ａ′−２は右下に表示される。
【００５４】
図１（Ｃ）のように選択位置３７ａ′がエリア３５−３内に位置している場合は、移動量表示３７ａ′−１と最大移動量表示３７ａ′−２は右上に表示され、図１（Ｄ）のように選択位置３７ａ′がエリア３５−４内に位置している場合は、移動量表示３７ａ′−１と最大移動量表示３７ａ′−２は左上に表示される。
【００５５】
なお、最大レベルの測距点移動量を各行または各列にある測距点総数の１／２程度分に設定しているため、選択位置３７ａ′がいずれの位置にあっても、移動量表示３７ａ′−１もしくは最大移動量表示３７ａ′−２と同じ位置に重なることはない。
【００５６】
本実施例では移動量表示３７ａ′−１と最大移動量表示３７ａ′−２、非選択位置３７ｂ′を全て黒色で表示しているが、スーパーインポーズ用ＬＥＤ３３で照明して色を変更してもよい。その場合は、選択位置３７ａ′とはスーパーインポーズ用ＬＥＤ３３の輝度を変えてもよい。また、スーパーインポーズ用ＬＥＤ３３が発光色の異なる複数のＬＥＤから構成されていることで発光色を変更できる場合は、選択位置３７ａ′とはスーパーインポーズ用ＬＥＤ３３の発光色を変えたりしてもよい。
【００５７】
図１で示すように、選択位置３７ａ′および、移動量表示３７ａ′−１と最大移動量表示３７ａ′−２、非選択位置３７ｂ′の表示仕様がそれぞれ異なることで、撮影者が簡単に判別することが可能となる。
【００５８】
図５は、本発明の実施形態の一例であるデジタル一眼レフカメラの信号処理の流れの概略を示したフローチャートである。この信号処理の流れが本発明の測距点選択モードに相当する。
【００５９】
ステップ７００のとき、撮影者はファインダ３から被写体を観察している状態である（以下、撮像待機状態とする）。このとき、視野枠内表示３５は撮影者が選択している測距点位置の選択位置３７ａ′が黒色で点灯表示しており、その他の表示は消灯している。撮影条件表示３６は、予め撮影者が設定した撮影条件を表示している。例えば、シャッタ速度優先モードの場合は、シャッタ秒時表示部３６ａが設定されたシャッタ秒時を表示し、シフト量表示部３６ｃは設定された露出シフト量を表示している。
【００６０】
まずステップ７０１で、測距点選択ボタン５２２がＯＮされたか否かを判定する。測距点選択ボタン５２２がＯＮされた場合は、ステップ７０２で撮影者が選択している測距点位置の選択位置３７ａ′がスーパーインポーズ用ＬＥＤ３３によって赤色に照明され、ステップ７０３へ進む。ステップ７０１で測距点選択ボタン５２２がＯＦＦの場合は、ステップ７０１を繰り返す。
【００６１】
ステップ７０３では、前回の測距点移動量がレベル３であったか否かを判定する。前回の測距点移動量がレベル３の場合はステップ７０４で今回の測距点移動量もレベル３に設定し、ステップ７０８に進む。ステップ７０３で前回の測距点移動量がレベル３ではない場合はステップ７０５で前回の測距点移動量がレベル２であったか否かを判定する。前回の測距点移動量がレベル２の場合はステップ７０６で今回の測距点移動量もレベル２に設定し、ステップ７０８に進む。ステップ７０５で前回の測距点移動量がレベル２ではない場合はステップ７０７で今回の測距点移動量をレベル１に設定し、ステップ７０８に進む。
【００６２】
ステップ７０８では、選択している測距点がエリア３５−１に位置しているか否かを判定する。選択している測距点がエリア３５−１に位置している場合はステップ７０９で最大移動量表示３７ａ′−２を左下に点灯表示し、ステップ７１５に進む。選択している測距点がエリア３５−１に位置していない場合はステップ７１０に進む。
【００６３】
ステップ７１０では、選択している測距点がエリア３５−２に位置しているか否かを判定する。選択している測距点がエリア３５−２に位置している場合はステップ７１１で最大移動量表示３７ａ′−２を右下に点灯表示し、ステップ７１５に進む。選択している測距点がエリア３５−２に位置していない場合はステップ７１２に進む。
【００６４】
ステップ７１２では、選択している測距点がエリア３５−３に位置しているか否かを判定する。選択している測距点がエリア３５−３に位置している場合はステップ７１３で最大移動量表示３７ａ′−２を右上に点灯表示し、ステップ７１５に進む。選択している測距点がエリア３５−３に位置していない場合はステップ７１４で最大移動量表示３７ａ′−２を左上に点灯表示し、ステップ７１５に進む。
【００６５】
ステップ７１５では最大移動量表示３７ａ′−２の位置に合わせて移動量表示３７ａ′−１を点滅表示する。なお、ステップ７０８〜７１５は本発明の表示位置決定手段に相当する。
【００６６】
ステップ７１６では、点灯表示している選択位置３７ａ′および最大移動量表示３７ａ′−２と点滅表示している移動量表示３７ａ′−１以外の全ての非選択位置３７ｂ′を点灯表示し、ステップ７１７へ進む。
【００６７】
ステップ７１７では、上面液晶照明ボタン５２１がＯＮされたか否かを判定する。上面液晶照明ボタン５２１がＯＮされた場合は、後述する測距点移動量の変更処理を行い（ステップ７１８）、ステップ７０８へ戻る。ここで、ステップ７１８は本発明の移動量決定部に相当する。ステップ７１７で上面液晶照明ボタン５２１がＯＦＦの場合は、ステップ７１９で方向ボタン５３０のいずれかがＯＮされたか否かを判定する。方向ボタン５３０のいずれかがＯＮされた場合は、ＯＮされた方向ボタン５３０の方向に選択している測距点位置を移動量分だけ移動し（ステップ７２０）、移動した位置で選択位置３７ａ′を黒色で点灯表示し（ステップ７２１）、ステップ７０２へ戻る。
【００６８】
ステップ７１９で方向ボタン５３０の全てがＯＦＦの場合は、ステップ７２２で決定ボタン５３５がＯＮされたか否かを判定する。決定ボタン５３５がＯＦＦの場合は、ステップ７１７へ戻る。ステップ７２２で決定ボタン５３５がＯＮされた場合は、ステップ７２３で処理を終了し、撮像待機状態に戻る。なお、ステップ７２２はスイッチＳＷ１（５１０ａ）のＯＮ／ＯＦＦによって判定してもよい。
【００６９】
図６は、本発明の実施形態の一例であるデジタル一眼レフカメラの測距点移動量変更処理の流れの概略を示したフローチャートである。前述した図５のステップ７１８における測距点移動量の変更処理は図６のステップ８００から開始する。まずステップ８０１で変更前の測距点移動量がレベル３か否かを判定する。変更前の測距点移動量がレベル３の場合は、ステップ８０２で測距点移動量をレベル１に変更し、処理を終了する（ステップ８０６）。変更前の測距点移動量がレベル３ではない場合は、ステップ８０３に進む。
【００７０】
ステップ８０３では変更前の測距点移動量がレベル１か否かを判定する。変更前の測距点移動量がレベル１の場合は、ステップ８０４で測距点移動量をレベル２に変更し、処理を終了する（ステップ８０６）。変更前の測距点移動量がレベル１ではない場合は、ステップ８０５で測距点移動量をレベル３に変更し、処理を終了する（ステップ８０６）。
図１、図５、図６で示したように、選択位置３７ａ′と移動量表示３７ａ′−１、最大移動量表示３７ａ′−２および非選択位置３７ｂ′をそれぞれ異なる表示にし、かつ測距点の移動量を変更可能にすることで、自動焦点調整を行う測距点が増加しても、ユーザが意図した測距点および次の選択操作で選択できる測距点が判別しやすくなる。
【００７１】
なお、本実施例では上面液晶照明ボタン５２１で測距点移動量の切り替えを行っているが、上面液晶照明ボタン５２１以外の操作部材に測距点移動量の切り替え機能を割り当ててもよい。
【００７２】
以上説明したように、本実施形態では、自動焦点調整を行う測距点の点数が多い撮像装置においても、ユーザが意図した測距点および次の選択操作で選択できる測距点が判別しやすくなる。
【００７３】
［実施例２］
以下、本発明の第二の実施例について図面を参照しながら説明する。第二の実施例では、測距点移動量の現在レベルを表示する方法を説明する。
【００７４】
図２から図４の説明は実施例１の説明と同一のためここでは割愛する。図７は、測距点選択モードにおける視野枠内表示３５の表示例を示した図である。図７（Ａ）〜（Ｄ）は、測距点の移動量がレベル２の場合の表示例であり、特に図７（Ａ）は、撮影者が選択中の測距点がエリア３５−１内に位置している場合の表示例である。同様に、図７（Ｂ）は、選択中の測距点がエリア３５−２内に位置している場合の表示例、図７（Ｃ）は、選択中の測距点がエリア３５−３内に位置している場合の表示例、図７（Ｄ）は、選択中の測距点がエリア３５−４内に位置している場合の表示例である。図７（Ｅ）および（Ｆ）は、図７（Ａ）と同様に、撮影者が選択中の測距点がエリア３５−１内に位置している場合の表示例だが、図７（Ｅ）は測距点の移動量がレベル１の場合の表示例、図７（Ｆ）は測距点の移動量がレベル３の場合の表示例である。
【００７５】
図７（Ａ）〜（Ｆ）のように、測距点選択モードでは撮影者が選択している測距点の位置が選択位置３７ａ′で示される。この時ＰＮＬＣＤ上では、選択位置３７ａ′とそれ以外の表示で、極めて短い時間ずつ交互に切り替えて表示している。選択位置３７ａ′が点灯している間のみスーパーインポーズ用ＬＥＤ３３を赤色に照明しているため、撮影者には選択位置３７ａ′だけが赤色で点灯表示しているように見える。ここで、選択位置３７ａ′は本発明の測距位置表示に相当する。
【００７６】
図７（Ａ）〜（Ｆ）の移動レベル表示３７ａ″−１は測距点移動量の現在のレベルを示している。図７（Ａ）〜（Ｄ）の表示例はレベル２であるため２個となる。図７（Ｅ）の表示例はレベル１のため１個、図７（Ｆ）の表示例はレベル３のため３個となる。最大移動レベル表示３７ａ″−２は測距点移動量の最大レベルを示している。本実施例ではレベル３であるため、３個のうち移動レベル表示３７ａ″−１以外の位置が最大移動レベル表示３７ａ″−２となる。図７（Ａ）〜（Ｄ）であればレベル２のため、３個のうち移動レベル表示３７ａ″−１を除く１個が最大移動レベル表示３７ａ″−２となる。
【００７７】
同様に、図７（Ｅ）であれば移動レベル表示３７ａ″−１を除く２個が最大移動レベル表示３７ａ″−２であり、図７（Ｆ）であれば移動レベル表示３７ａ″−１がすでに３個であるので、最大移動レベル表示３７ａ″−２は表示されない。非選択位置３７ｂ′は、選択位置３７ａ′および移動レベル表示３７ａ″−１、最大移動レベル表示３７ａ″−２以外の測距点位置を示している。ここで、移動レベル表示３７ａ″−１は本発明の移動量表示に相当し、最大移動レベル表示３７ａ″−２は本発明の最大移動量表示に相当し、非選択位置３７ｂ′は本発明の非選択位置表示に相当する。
【００７８】
移動レベル表示３７ａ″−１および最大移動レベル表示３７ａ″−２、非選択位置３７ｂ′は、選択位置３７ａ′とは点灯しているタイミングが異なるため黒色に表示される。また、移動レベル表示３７ａ″−１は最大移動レベル表示３７ａ″−２および非選択位置３７ｂ′が点灯しているタイミングよりも消灯している時間を長くすることにより、撮影者には移動レベル表示３７ａ″−１が黒色で点滅表示しているように見える。
【００７９】
図７（Ａ）のように選択位置３７ａ′がエリア３５−１内に位置している場合は、移動レベル表示３７ａ″−１と最大移動レベル表示３７ａ″−２は左下に表示される。これにより移動レベル表示３７ａ″−１と最大移動レベル表示３７ａ″−２に対し選択位置３７ａ′が離れた位置で表示され、選択位置３７ａ′と、移動レベル表示３７ａ″−１および最大移動レベル表示３７ａ″−２の判別がしやすくなる。同様に、図７（Ｂ）のように選択位置３７ａ′がエリア３５−２内に位置している場合は、移動レベル表示３７ａ″−１と最大移動レベル表示３７ａ″−２は右下に表示される。
【００８０】
図１（Ｃ）のように選択位置３７ａ′がエリア３５−３内に位置している場合は、移動レベル表示３７ａ″−１と最大移動レベル表示３７ａ″−２は右上に表示され、図１（Ｄ）のように選択位置３７ａ′がエリア３５−４内に位置している場合は、移動レベル表示３７ａ″−１と最大移動レベル表示３７ａ″−２は左上に表示される。
【００８１】
本実施例では移動レベル表示３７ａ″−１と最大移動レベル表示３７ａ″−２、非選択位置３７ｂ′を全て黒色で表示しているが、スーパーインポーズ用ＬＥＤ３３で照明して色を変更してもよい。その場合は、選択位置３７ａ′とはスーパーインポーズ用ＬＥＤ３３の輝度を変えてもよい。また、スーパーインポーズ用ＬＥＤ３３が発光色の異なる複数のＬＥＤから構成されていることで発光色を変更できる場合は、選択位置３７ａ′とはスーパーインポーズ用ＬＥＤ３３の発光色を変えたりしてもよい。
【００８２】
図１で示すように、選択位置３７ａ′および、移動レベル表示３７ａ″−１と最大移動レベル表示３７ａ″−２、非選択位置３７ｂ′の表示仕様がそれぞれ異なることで、撮影者が簡単に判別することが可能となる。
【００８３】
図５から図６の説明は実施例１の説明と同一のためここでは割愛する。なお、図５から図６の説明の移動量表示３７ａ′−１は本発明の実施例２における移動レベル表示３７ａ″−１に相当し、最大移動量表示３７ａ′−２は本発明の実施例２における最大移動レベル表示３７ａ″−２に相当する。
【００８４】
図７、図５、図６で示したように、選択位置３７ａ′と移動レベル表示３７ａ″−１、最大移動レベル表示３７ａ″−２および非選択位置３７ｂ′をそれぞれ異なる表示にし、かつ測距点の移動量を変更可能にすることで、自動焦点調整を行う測距点が増加しても、ユーザが意図した測距点および次の選択操作で選択できる測距点が判別しやすくなる。
【００８５】
なお、本実施例では上面液晶照明ボタン５２１で測距点移動量の切り替えを行っているが、上面液晶照明ボタン５２１以外の操作部材に測距点移動量の切り替え機能を割り当ててもよい。
【００８６】
以上説明したように、本実施形態では、自動焦点調整を行う測距点の点数が多い撮像装置においても、ユーザが意図した測距点および次の選択操作で選択できる測距点が判別しやすくなる。
【００８７】
［実施例３］
以下、本発明の第三の実施例について図面を参照しながら説明する。第三の実施例では、測距点選択モードでの測距点移動量の切り替えは、撮影者がファインダ３を覗いている場合は拡大ボタン５３６もしくは縮小ボタン５３７を押下する毎に行われる。撮影者がファインダ３を覗いていない場合は第一の実施例同様にカラーＬＣＤモニタ部５０４のタッチ操作で行う。ここで、拡大ボタン５３６および縮小ボタン５３７は本発明の実施例３における移動量可変操作部に相当する。
【００８８】
図１から図４の説明は実施例１の説明と同一のためここでは割愛する。図５は、本発明の実施形態の一例であるデジタル一眼レフカメラの信号処理の流れの概略を示したフローチャートである。
【００８９】
図５のステップ７１６までは実施例１の説明と同一のためここでは割愛する。ステップ７１７では、拡大ボタン５３６もしくは縮小ボタン５３７のいずれかがＯＮされたか否かを判定する。拡大ボタン５３６もしくは縮小ボタン５３７のいずれかがＯＮされた場合は、後述する測距点移動量の変更処理を行い（ステップ７１８）、ステップ７０８へ戻る。ここで、ステップ７１８は本発明の移動量決定部に相当する。拡大ボタン５３６もしくは縮小ボタン５３７のいずれもＯＦＦの場合はステップ７１９に進む。ステップ７１９以降の処理は実施例１と同一である。
【００９０】
図８は、本発明の実施形態の一例であるデジタル一眼レフカメラの測距点移動量変更処理の流れの概略を示したフローチャートである。
【００９１】
前述した図５のステップ７１８における測距点移動量の変更処理は図８のステップ９００から開始する。ステップ９００のとき、ステップ７１８で拡大ボタン５３６もしくは縮小ボタン５３７のいずれかがＯＮされた状態である。まずステップ９０１で変更前の測距点移動量がレベル３か否かを判定する。変更前の測距点移動量がレベル３の場合は、ステップ９０２に進み、変更前の測距点移動量がレベル３ではない場合は、ステップ９０４に進む。
【００９２】
ステップ９０２では、図５のステップ７２５でＯＮされたのが拡大ボタン５３６であったか否かを判定する。ステップ７２５でＯＮされたのが拡大ボタン５３６であった場合は、ステップ９０３で測距点移動量をレベル１に変更し、処理を終了する（ステップ９１０）。ステップ７２５でＯＮされたのが拡大ボタン５３６でなかった場合は、ステップ７２５でＯＮされたのは縮小ボタン５３６であるので、ステップ９０６で測距点移動量をレベル２に変更し、処理を終了する（ステップ９１０）。
【００９３】
ステップ９０４では、変更前の測距点移動量がレベル１か否かを判定する。変更前の測距点移動量がレベル１の場合は、ステップ９０５に進み、変更前の測距点移動量がレベル１ではない場合は、ステップ９０７に進む。
【００９４】
ステップ９０５では、ステップ９０２と同様に、図５のステップ７２５でＯＮされたのが拡大ボタン５３６であったか否かを判定する。ステップ７２５でＯＮされたのが拡大ボタン５３６であった場合は、ステップ９０６で測距点移動量をレベル２に変更し、処理を終了する（ステップ９１０）。ステップ７２５でＯＮされたのが拡大ボタン５３６でなかった場合は、ステップ７２５でＯＮされたのは縮小ボタン５３６であるので、ステップ９０８で測距点移動量をレベル３に変更し、処理を終了する（ステップ９１０）。
【００９５】
ステップ９０７では、ステップ９０２およびステップ９０５と同様に、図５のステップ７２５でＯＮされたのが拡大ボタン５３６であったか否かを判定する。ステップ７２５でＯＮされたのが拡大ボタン５３６であった場合は、ステップ９０８で測距点移動量をレベル３に変更し、処理を終了する（ステップ９１０）。ステップ７２５でＯＮされたのが拡大ボタン５３６でなかった場合は、ステップ７２５でＯＮされたのは縮小ボタン５３６であるので、ステップ９０９で測距点移動量をレベル１に変更し、処理を終了する（ステップ９１０）。
【００９６】
なお、本実施例では拡大ボタン５３６および縮小ボタン５３７で測距点移動量の切り替えを行っているが、メインダイヤル５０３など二方向を指示できる操作部材で測距点移動量の切り替えを行ってもよい。
【００９７】
また、本実施例では表示を実施例１と同様にしているが、実施例２の表示方法を用いてもよい。
【００９８】
以上説明したように、本実施形態では、自動焦点調整を行う測距点の点数が多い撮像装置においても、ユーザが意図した測距点および次の選択操作で選択できる測距点が判別しやすくなる。
【００９９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【０１００】
１  カメラ本体
３  ファインダ
４  覗き検知部
３５  視野枠内表示
３７ａ′  選択位置
３７ａ′−１  移動量表示
３７ａ′−２  最大移動量表示
３７ａ″−１  移動レベル表示
３７ａ″−２  最大移動レベル表示
３７ｂ′  非選択位置
１１７  焦点検出センサユニット
５００  モード選択ダイヤル
５０３  メインダイヤル
５１０  レリーズボタン
５２１  上面液晶照明ボタン
５２２  測距点選択ボタン
５３０  方向ボタン
５３６  拡大ボタン
５３７  縮小ボタン
７００〜７２３  ステップ（測距点選択モード）
７０８〜７１５  ステップ（表示位置決定処理）
７１８  ステップ（測距点移動量の変更処理）
【図１】
2019012180.tif 000003
【図２】
2019012180.tif 000004
【図３】
2019012180.tif 000005
【図４】
2019012180.tif 000006
【図５】
2019012180.tif 000007
【図６】
2019012180.tif 000008
【図７】
2019012180.tif 000009
【図８】
2019012180.tif 000010